(57)【要約】本発明の衣類の端部構造（１０）は、端部の長手方向に第２の伸度で伸縮するブロック状の第２の領域（１１）と、端部の長手方向に第２の伸度よりも低い伸度である第１の伸度で伸縮するブロック状の第１の領域（１２）と、を備え、第２の領域及び第１の領域が、端部の長手方向に交互に配置されている。
2013046457.tif 000002
【特許請求の範囲】
【請求項１】
衣類本体が所定の着用状態で保持されるように、着用時に引き伸ばされることによって肌に密着するように形成された端部構造であって、
長手方向に沿って並べて設けられた低伸度の３つの第１の領域と、前記３つの第１の領域の間にそれぞれ形成され、前記第１の領域よりも高い伸度を有する２つの第２の領域とから少なくとも形成される食い込み軽減構造を少なくとも一部に有する基体部を備えている、
衣類の端部構造。
【請求項２】
前記食い込み軽減構造は、前記基体部の長手方向と交差する幅方向の全幅にわたるように設けられており、前記第１の領域及び前記第２の領域も前記幅方向の全幅にわたるように形成されている、
請求項１に記載の衣類の端部構造。
【請求項３】
前記第１の領域は、前記端部の長手方向において等間隔で配置されている、
請求項１または２に記載の衣類の端部構造。
【請求項４】
前記第１の領域は台形に形成され、前記台形の平行な２辺のうち短い方の辺が端側に配置されている、
請求項１から３のいずれか１項に記載の衣類の端部構造。
【請求項５】
前記第１の領域は長方形に形成され、前記長方形の短い方の辺が端側に配置されている、
請求項１から３のいずれか１項に記載の衣類の端部構造。
【請求項６】
前記第１の領域は、前記基体部に樹脂を塗布して形成されている、
請求項１から５のいずれか１項に記載の衣類の端部構造。
【請求項７】
前記食い込み軽減構造は、前記基体部に抜蝕加工を施して形成されている、
請求項１から６のいずれか１項に記載の衣類の端部構造。
【請求項８】
下半身衣類のウエスト始末を形成する端部構造であって、
前記食い込み軽減構造は、前記ウエスト始末のうち、少なくとも左右の両脇部分にそれぞれ設けられている、
請求項１から７のいずれか１項に記載の衣類の端部構造。
【請求項９】
着用者の身体の一部を挿通させる開口部を形成する端部構造であって、
前記開口部の全周において、前記食い込み軽減構造が設けられている、
請求項１から８のいずれか１項に記載の衣類の端部構造。
【請求項１０】
請求項１から８のいずれか１項に記載の衣類の端部構造を備えたボトム衣類であって、
着用者の下半身の少なくとも一部を覆うように形成された本体生地と、
前記本体生地に隣接する端部であり、着用者の腰部を挿通させる開口部を形成する前記端部構造と、を備える、
ボトム衣類。
【請求項１１】
請求項１から８のいずれか１項に記載の衣類の端部構造を備えたカップ付き衣類であって、
バストを覆うように形成された左右一対のカップ部と、
前記カップ部を支持するカップ支持部と、
前記カップ部の脇側縁部またはカップ支持部の少なくとも一方に連結された左右一対の脇部と、を備え、
前記脇部の上辺及び下辺、または、カップ支持部の下辺のいずれか１つに前記端部構造が少なくとも形成されている、
カップ付き衣類。
【請求項１２】
バストを覆うように形成された左右一対のカップ部と、
前記カップ部を支持するカップ支持部と、
前記カップ部の脇側縁部またはカップ支持部の少なくとも一方に連結された左右一対の脇部と、を備え、
着用状態における胴回り方向に沿って並べて設けられた低伸度の３つの第１の領域と、前記３つの第１の領域の間にそれぞれ形成され、前記第１の領域よりも高い伸度を有する２つの第２の領域とから少なくとも形成される食い込み軽減構造が前記脇部または前記カップ支持部の少なくともいずれか一方の一部または全部に設けられている、
カップ付き衣類。
【請求項１３】
着用状態で肌に密着する部分が少なくとも身頃本体の一部に設けられた補整機能を有する衣類の構造であって、
前記密着する部分の少なくとも一部に着用状態における胴回り方向に沿って並べて設けられた低伸度の３つの第１の領域と、前記３つの第１の領域の間にそれぞれ形成され、前記第１の領域よりも高い伸度を有する２つの第２の領域とから少なくとも形成される食い込み軽減構造が形成されている、
補整機能を有する衣類の構造。
【発明の詳細な説明】
【技術分野】
【０００１】
本発明は、衣類の端部構造、ボトム衣類、カップ付き衣類、及び補整機能を有する衣類の構造に関する。
【背景技術】
【０００２】
ボトム衣類として、伸縮性の布で形成された身頃を備え、前身頃の肌側にウエストパワー布が縫い付けられたショーツがある（例えば特許文献１参照）。この特許文献１に記載のショーツでは、ウエストパワー布を縫い付けることで、ウエスト帯をパワーアップして腹部の整形力を高める共にウエスト帯の耐久性の向上を図っている。【０００３】
また、ボトム衣類として、ウエスト周りのうち左右の脇部分だけ、他の部分と異なる伸縮特性を有する布材が設けられたガードルがある（例えば特許文献２参照）。この特許文献２に記載のガードルでは、このような構成を採用することで、身生地の食い込み量の低減を図っている。【０００４】
上半身衣類として、ブラジャー部及びウエストニッパ部を一体化した女性用の下着がある（例えば特許文献３参照）。この特許文献３に記載の下着では、丈方向に延在する芯材（ボーン）を複数本設けることで、補整効果の向上を図っている。
【先行技術文献】
【特許文献】
【０００５】
【特許文献１】登録実用新案第３０９３３００号公報
【特許文献２】特公平４−４０４４２号公報
【特許文献３】特開平８−１００３０７号公報
【発明の概要】
【発明が解決しようとする課題】
【０００６】
通常、ボトム衣類のウエスト側の上端部分（端部構造）は、臍近傍の胴回りを通るように設計されている。この臍近傍の胴回りの部位は、骨盤上端と肋骨との間の部位に相当し、骨盤周りや肋骨周りと比較すると衣類が食い込み易い。このため、従来のボトム衣類では、端部の食い込みによって肉の盛り上がり部分が、左右両脇や腹部周りに形成され易く、着用状態のシルエットをきれいに見せることが難しかった。【０００７】
例えば、補整機能を備えたボトム衣類では、補整機能がないボトム衣類よりも着圧が大きいため、上記のように端部の食い込みが更に発生し易い。【０００８】
また、ブラジャー（カップ付き衣類）では、カップ部から着用者の脇側へ連続する土台部や、バック部の上下辺に用いられるゴム始末から成る端部構造が、上記のボトム衣類の端部構造と同様に、着用状態において食い込みやすい。同様に、その他の衣類の端部においても、食い込みが生じることがある。このように食い込みが生じると、着用状態のシルエットをきれい見せることが難しかった。【０００９】
本発明は、このような課題を解決するために成されたものであり、適切な着圧を維持しつつ、着用者への食い込みを緩和することが可能な衣類の端部構造、この端部構造を備えたボトム衣類及びカップ付き衣類、補正機能を有する衣類を提供することを目的とする。
【課題を解決するための手段】
【００１０】
本発明による衣類の端部構造は、衣類本体が所定の着用状態で保持されるように、着用時に引き伸ばされることによって肌に密着するように形成されており、基体部を備えている。基体部は、食い込み軽減構造を少なくとも一部に有している。食い込み軽減構造は、低伸度の第１の領域と、第１の領域よりも高い伸度を有する第２の領域とから形成されている。食い込み軽減構造は、少なくとも、基体部の長手方向に沿って並べて設けられた３つの第１の領域と、３つの第１の領域の間にそれぞれ設けられた２つの第２の領域とから形成されている。【００１１】
一般的な衣類の端部構造では、着用状態で長手方向に引き伸ばされることによって生地の厚みが薄くなるとともに、長手方向と交差する向きの幅が縮み、折れ曲がり易くなる。この結果、折れ曲がった箇所が食い込んでしまい易い。【００１２】
これに対し、本発明に係る衣類の端部構造によれば、着用状態において伸縮性の高い第１の領域が長手方向に引き伸ばされて生地の厚みが薄くなっても、隣接する両側部分に低伸度の第２の領域が設けられている。第２の領域は、第１の領域ほど引き伸ばされないため、厚みもあまり薄くならず、長手方向と交差する方向の幅の縮みも少なく折れ曲がり難い。【００１３】
従って、第１の領域が引き伸ばされても隣接する第２の領域のコシの強さ、すなわち剛性によって第１の領域の折れ曲がりを軽減することができる。この結果、本発明の衣類の端部構造は、適切な着圧を維持しつつ、着用者への食い込みを緩和することができる。【００１４】
なお、本発明の衣類の端部構造は、下半身衣類のウエスト始末を形成する端部構造であり、食い込み軽減構造をウエスト始末のうち、少なくとも左右の両脇部分にそれぞれ設けていることが好ましい。これにより、下半身衣類のウエスト始末のうち、食い込み易い左右の両脇部分の食い込みを軽減することができる。
【発明の効果】
【００１５】
本発明によれば、適切な着圧を維持しつつ、着用者への食い込みを緩和することが可能な衣類の端部構造、ボトム衣類、カップ付き衣類、及び、補整機能を有する衣類を提供することができる。
【図面の簡単な説明】
【００１６】
【図１】本発明の第１実施形態に係る端部構造を備えたボトム衣類の着用状態を示す側面図である。
【図２】（ａ）本発明の実施形態に係る端部構造の伸長を示す図であり、（ｂ）従来の端部構造の伸長を示す図である。
【図３】（ａ）本発明の実施形態に係るボトム衣類を着用したときにウエストに作用する着圧の分布を示す模式図であり、（ｂ）従来のボトム衣類を着用したときにウエストに作用する着圧の分布を示す模式図である。
【図４】（ａ）,（ｂ）本発明の実施形態に係るボトム衣類の着用状態を示す図であり、（ｃ）,（ｄ）従来のボトム衣類の着用状態を示す図である。
【図５】本発明の実施形態に係る端部構造の伸長状態を示す図、及び従来の端部構造の伸長状態を示す図である。
【図６】本発明の第２実施形態に係る端部構造を備えたボトム衣類の着用状態を示す背面図である。
【図７】本発明の第２実施形態に係るボトム衣類の端部構造を示す拡大図である。
【図８】本発明の第３実施形態に係るカップ付き衣類を示す斜視図である。
【図９】本発明の第３実施形態に係るカップ付き衣類の変形例を示す斜視図である。
【図１０】本発明の第４実施形態に係るウエストニッパーの正面図である。
【発明を実施するための形態】
【００１７】
以下、添付図面を参照して、本発明の好適な実施形態について詳細に説明する。なお、「上」、「下」等の方向を示す語は、図面に示される状態に基づいており、便宜的なものである。
【００１８】
まず、本発明の第１実施形態に係る衣類の端部構造１０について説明する。図１に示すように、本実施形態に係る衣類の端部構造は、例えば、スパッツなどのボトム衣類２０のウエスト側の裾部分を形成するテープ部１０として採用される。なお、ボトム衣類としては、レギンス、ガードル、スパッツ、スポーツ用タイツ、パンツ、水着などのボトム衣類が挙げられる。
【００１９】
ボトム衣類２０は、着用者１００の下半身の少なくとも一部を覆うように形成された本体生地２１（衣類本体）と、この本体生地２１に隣接する端部であり、着用者１００のウエスト（腰部）を挿通させる上端部分２０ａの開口部の周縁を形成するテープ部１０（基体部）とを備えている。テープ部１０は、長手方向に交差する方向である幅方向に所定の長さを有する帯状に形成されている。本実施形態のテープ部１０の軸方向Ｗにおける長さ（図２参照）は、締付力が作用していない平置き状態において、例えば、４０ｍｍ程度である。
【００２０】
本体生地２１は、着用者１００の下半身の正面側を覆う前身頃、及び下半身の背面側を覆う後身頃を有する。本体生地２１は、伸縮性を有する素材によって構成されている。また、本体生地２１は、着用状態において、着用者に密着して使用されるものでもよく、着用者に密着しないものでもよい。
【００２１】
テープ部１０は、上端部分２０ａの開口部の周方向Ｄ１（端部の長手方向）に第２の伸度で伸縮するブロック状の高伸縮部１１（第２の領域）と、開口部の周方向に第２の伸度よりも低い伸度である第１の伸度で伸縮するブロック状の低伸縮部１２（第１の領域）と、を備え、これらの高伸縮部１１及び低伸縮部１２が、開口部の周方向Ｄ１に交互に上端部分２０ａの全周において交互に１２〜１４個ずつ配置され食い込み軽減構造１３を形成している。
【００２２】
なお、高伸縮部１１と低伸縮部１２の個数が、１２〜１４個ずつとなる例を挙げて説明しているが、本発明はこれに限定されるものではない。例えば、テープ部１０の仕様や低伸縮部１２や高伸縮部１１の伸度に応じて、高伸縮部１１と、低伸縮部１２の個数を適宜設定すればよい。なお、着用状態において着用者に密着する部分は、テープ部１０（端部構造、基体部）のみでもよい。また、テープ部１０と着用者の肌とが直接密着してもよく、その他の生地を挟んで、テープ部１０と着用者の肌とが間接的に密着してもよい。
【００２３】
なお、本例では、上端部分２０ａの全周において食い込み軽減構造１３が設けられている例を挙げているが、本発明はこれに限定されるものではない。例えば、上端部分２０ａのうち、特に食い込み易い箇所、例えば、左右の両脇部分にだけ食い込み軽減構造１３を設けるようにしてもよい。また、例えば、食い込み軽減構造１３は、３つの低伸縮部１２と、３つの低伸縮部１２の間に形成された２つの高伸縮部１１を少なくとも含むように形成すればよい。この場合にも、高伸縮部１１が折れ曲がり難くすることができる。
【００２４】
低伸縮部１２は、上端部分２０ａの開口部の周方向Ｄ１において等間隔で配置されている。なお、低伸縮部１２は、上端部分２０ａの開口部の周方向Ｄ１において等間隔で配置されていないものでもよい。例えば、テープ部１０の曲率が大きくなる脇部において、曲率が小さい正面部及び背面部と比較して、低伸縮部１２の間隔を狭くしてもよい。曲率が大きい部分において、低伸縮部１２の配置数量を増加させることができる。
【００２５】
高伸縮部１１及び低伸縮部１２は、図２に示すように、テープ部１０の幅方向Ｗにおいて、上端１０ａから下端１０ｂまで形成されている。高伸縮部１１及び低伸縮部１２は、締付力が作用していない平置き状態において、同じ形状の台形を上下逆に交互に並べたように形成されている。なお、高伸縮部１１及び低伸縮部１２の形状は同じ形状でなくてもよい。また、高伸縮部１１の幅は、例えば、周方向の位置によって異なっていてもよく、低伸縮部１２についても同様である。
【００２６】
ブロック状の高伸縮部１１及び低伸縮部１２は、締付力が作用していない状態において、例えば、台形を成している。低伸縮部１２は、台形の平行な２辺のうち短い方の辺１２ａが、テープ部１０の上端１０ａに配置され、長い方の辺１２ｂが、テープ部１０の下端１０ｂに配置されている。高伸縮部１１は、台形の平行な２辺のうち短い方の辺１１ａが、テープ部１０の下端１０ｂに配置され、長い方の辺１１ｂが、テープ部１０の上端１０ａに配置されている。これにより、上端１０ａ側の方が、下端１０ｂ側よりも伸び易くなるようにしている。
【００２７】
なお、ブロック状とは、所定の面積を有する形状であればよい。また、仕様に応じて、低伸縮部１２の短辺１２ａが、テープ１０の下端１０ｂに配置され、低伸縮部１２の長辺１２ｂが、テープ１０の上端１０ａに配置されている構成としてもよい。
【００２８】
低伸縮部１２は、図２に示すように、テープ部１０の生地に樹脂１４を接着（塗布）することで形成されている。これにより、低伸縮部１２は、樹脂が接着されていない高伸縮部１１より低い伸度となっている。
【００２９】
低伸縮部１２は、テープ部１０の生地に樹脂１４を接着することで形成されているため、樹脂が接着されていない高伸縮部１１より、硬い状態となっている。低伸縮部１２は、伸度が低く形成されていると共に、硬度が高くなるように形成され、高伸縮部１１と比較して、形状変化しないように形成されている。低伸縮部１２は、テープ部１０において芯材のように機能し、折れ曲がりを軽減する、いわゆるボーン効果を発揮する。
【００３０】
また、低伸縮部１２の形成方法としては、ドット状の樹脂を接着する方法に限定されず、その他の方法を適用することができる。例えば、テープ部１０の生地に当て布を縫い付けることで、高伸縮部１１よりも伸度が低い低伸縮部１２を形成してもよい。
【００３１】
高伸縮部１１と低伸縮部１２とは、編組織を変更する等の方法によって伸度を切り替えることで高伸縮部１１よりも伸度が低い低伸縮部１２を形成してもよい。また、高伸縮部１１と低伸縮部１２の編地の伸度を切り替えることで、低伸縮部１２を形成してもよい。また、テープ部１０の素材にオパール（抜蝕）加工が可能なセルロース系の繊維やその他の素材を用いる場合には、オパール加工をテープ部１０に施すことで、高伸縮部１１と低伸縮部１２とをそれぞれ形成するようにしてもよい。
【００３２】
図２（ａ）は、本発明の実施形態に係るテープ部１０（衣類の端部構造）の伸長を示す平面図であり、図２（ｂ）は、従来のテープ部１の伸長を示す平面図である。図２では、テープ部１０，１の長手方向Ｄ１に同程度の引張力を作用させたときの伸び量を２点鎖線で模式的に示している。なお、図２では、長手方向Ｄ１と交差する方向のテープ部１０，１の縮みについては、簡単の為、図示を省略している。
【００３３】
図２（ａ）に示すように、高伸縮部１１及び低伸縮部１２が交互に配置されたテープ部１０では、上端１０ａと下端１０ｂとの伸び量に差が生じている。これにより上端１０ａ側の締め付け力を緩和している。長手方向Ｄ１において、高伸縮部１１の割合が高い上端１０ａ側が、低伸縮部１２の割合が高い下端１０ｂ側よりも、伸び量が大きくなっている。テープ部１０では、幅方向Ｗにおいて、上端１０ａから下端１０ｂに向かうにつれて、長手方向Ｄ１の伸び量が小さくなっている。
【００３４】
図２（ｂ）に示すように、従来のテープ部１では、上端１ａと下端１ｂとの伸び量に差が生じていない。
【００３５】
図３（ａ）は、本発明の実施形態に係るテープ部１０を備えたボトム衣類２０を着用したときにウエスト周りに作用する単位面積あたりの着圧の相対的な大きさを矢印で示す模式図である。
【００３６】
図３（ｂ）は、従来のテープ部１を備えたボトム衣類を着用したときにウエスト周りに作用する単位面積あたりの着圧の相対的な大きさを矢印で示す模式図である。
【００３７】
テープ部１は、全周にわたって均等な伸縮性を有しているため、曲率の大きい脇部１００周辺部分の方が、曲率の小さい正面側１００ｂや背面側１００ｃよりも着用状態において引き伸ばされ易いため、食い込み易い。
【００３８】
これに対し、テープ部１０の場合には、図３（ａ）に示すように曲率の大きくなる脇部１００周辺においても低伸縮部１２と高伸縮部１１が所定間隔ごとに交互に設けられている。このため、個々の高伸縮部１１の長手方向の長さが短いため、全周にわたって高伸縮部１１でテープ部を形成する場合よりも伸び難い。また、高伸縮部１１の両側に低伸縮部１２が設けられているため、着用状態において低伸縮部１２が折れ曲がり難くしている。
【００３９】
テープ部１０では、伸びにくい部分（芯）をブロック状に設けることで、着用者１００のウエストの脇部１００ａに集中する着圧を好適に分散させることができる。
【００４０】
図４（ａ），（ｂ）は、本発明の実施形態に係るボトム衣類２０の着用状態を示す図であり、図４（ａ）は、ボトム衣類２０の正面側を示し、図４（ｂ）は、ボトム衣類２０の背面側を示している。図４（ａ），（ｂ）に示すように、本実施形態のボトム衣類２０では、高伸縮部１１及び低伸縮部１２が交互に配置され、締付力を発揮する伸縮性の高い部分が、折れ曲がりを軽減する低伸縮性を有する部分に挟まれるように形成されているため、テープ部１０の折れ曲がりを軽減して、着用者へのテープ部１０の食い込みが抑制されている。
【００４１】
図４（ｃ），（ｄ）は、従来のボトム衣類２の着用状態を示す図であり、図４（ｃ）は、ボトム衣類１の正面側を示し、図４（ｄ）は、ボトム衣類の背面側を示している。図４（ｃ），（ｄ）に示すように、従来のテープ部１を備えたボトム衣類１では、テープ部１が折れ曲がり易く、着用者に容易に食い込んでしまう。
【００４２】
図５（ａ）は、引張り力が作用していない状態のテープ部１０を示す平面図であり、図５（ｂ）は、引張り力が作用して伸びが生じている状態のテープ部１０を示す平面図であり、図５（ｃ）は、引張り力が作用して伸びが生じている状態の従来のテープ部１を示す平面図である。
【００４３】
図５（ｂ）に示すように、テープ部１０では、長手方向に引張り力が作用すると、高伸縮部１１が伸びて、低伸縮部１２が伸びにくい構成となっている。また、低伸縮部１２は、形状変化し難い構成であり、幅方向の縮み量が少なく、幅方向における折れ曲がりが防止されている。
【００４４】
図５（ｃ）に示すように、従来のテープ部１では、長手方向に引張り力が作用すると、幅方向の縮み量が大きく、局部的な着圧が大きくなり着用者に食い込み易く、着苦しいものとなり易い。
【００４５】
なお、本実施形態では、テープ部１０の高伸縮部１１と低伸縮部１２をそれぞれ台形状に形成する例を挙げて説明しているが、本発明はこれに限定されるものではない。例えば、図５（ｄ）に示すように、高伸縮部１１（１１Ｂ）、低伸縮部１２（１２Ｂ）をそれぞれ同じ長方形状に設けてもよい。また、仕様に応じて、高伸縮部１１、低伸縮部１２を寸法の異なる長方形状としてもよい。例えば、低伸縮部１２は、長方形の短い方の辺１２Ｂａが、端側（上端側）１０Ｂａに配置されている。
【００４６】
このように本実施形態に係るボトム衣類２０によれば、ウエスト側の上端部分２０ａに配置されたテープ部１０において、上端部分２０ａの周方向Ｄ１に沿って交互に、高伸縮部１１及び低伸縮部１２が配置されている。これにより、締付力を発揮する高伸縮部１１の隣に、高伸縮部１１よりも伸縮性が低い低伸縮部１２が配置され、適切な着圧を維持することが容易となり、テープ部１０の食い込みを軽減することができる。また、本実施形態のボトム衣類２０のテープ部１０では、高伸縮部１１の隣に、テープ部１０の長手方向Ｄ１において所定の長さを有するブロック状の低伸縮部１２が配置され、この低伸縮部１２よって折れ曲がり軽減機能が発揮されるため、ボトム衣類２０は、ウエスト側の上端部分２０ａに配置されたテープ部１０において、適切な着圧を維持しつつ、着用者への食い込みを抑制することができる。
【００４７】
また、テープ部１０では、幅方向の全域において、上端１０ａから下端１０ｂまで、低伸縮部１２が形成されているため、折れ曲がり軽減機能を発揮させて、食い込みを抑制することができる。
【００４８】
また、低伸縮部１２がテープ部１０の長手方向において等間隔で配置されているため、長手方向において、着圧を分散させ易く、低伸縮部１２による折れ曲がり軽減機能を発揮させ易くなる。
【００４９】
また、低伸縮部１２が台形状に形成され、短辺が上端１０ａ側に配置されているため、上端１０ａから下端１０ｂへ広がるように低伸縮部１２が形成され、低伸縮部１２の形状を変化させることで、テープ部１０の幅方向Ｗにおける着圧を好適に調節することができる。その結果、テープ部１０の折れ曲がりを軽減して、着用者への食い込みを抑制することができる。
【００５０】
次に、本発明の第２実施形態に係るテープ部（衣類の端部構造、基体部）を備えたボトム衣類について説明する。なお、第１実施形態と同一の説明は、省略する。図６は、本発明の第２実施形態に係るテープ部１０Ｂを備えたボトム衣類２０の着用状態を示す背面図である。図７は、図６中のテープ部１０Ｂを示す拡大図である。第２実施形態のテープ部１０Ｂが、第１実施形態のテープ部１０と違う点は、台形状の高伸縮部１１及び低伸縮部１２に代えて、矩形状の高伸縮部１１Ｂ（第２の領域）及び低伸縮部１２Ｂ（第１の領域）を備えている点である。
【００５１】
矩形状の高伸縮部１１Ｂ及び低伸縮部１２Ｂは、テープ部１０Ｂの上端から本体生地２１に近接する位置まで形成され、本体生地２１との間に多少の隙間が設けられている。なお、本実施形態では、高伸縮部１１Ｂ及び低伸縮部１２Ｂは、本体生地２１に隣接する端の位置と、本体生地２１との間に隙間が設けられている例を挙げているが、本発明は、これに限定されるものではない。高伸縮部１１Ｂ及び低伸縮部１２Ｂは、例えば、幅方向Ｗの上端側もテープ部１０Ｂの上端との間に隙間が形成されるようにしてもよい。但し、高伸縮部１１Ｂ及び低伸縮部１２Ｂの上端の位置とテープ部１０Ｂの上端との間に隙間が形成されると、上端側においてテープ部１０Ｂの上端部分が周方向Ｄ１に沿って連結されて伸び易くなってしまうため、テープ部１０Ｂの上端側まで高伸縮部１１Ｂ、低伸縮部１２Ｂを設ける方が好ましい。
【００５２】
このような構成の第２実施形態のテープ部１０Ｂを備えたボトム衣類２０においても、高伸縮部１１Ｂ及び低伸縮部１２Ｂが、周方向Ｄ１に交互に配置されているため、高伸縮部１１Ｂによって締付力を発揮し、低伸縮部１２Ｂによって折れ曲がり軽減機能を発揮する。その結果、適切な着圧を維持しつつ、着用者への食い込みを抑制することができる。また、高伸縮部１１Ｂ及び低伸縮部１２Ｂの形状が簡素であるため、製造コストの増加を抑えることができる。なお、高伸縮部１１Ｂと低伸縮部１２Ｂとの間に、第２の伸度及び第１の伸度とは異なる第３の伸度を有する部分が存在していてもよい。
【００５３】
次に、本発明の第３実施形態に係るカップ付き衣類について説明する。なお、上記の実施形態と同一の説明は省略する。図８は、本発明の第３実施形態に係るカップ付き衣類を示す斜視図である。本実施形態では、端部構造のカップ付き衣類への適用について説明する。
【００５４】
図８に示すブラジャー４０（カップ付き衣類）は、左右一対のカップ部４１、土台布４２（カップ支持部）、バック布４３（脇部）、及び肩ストラップ４４を備える。なお、ブラジャー４０は、左右対称であるため、左右の一方のみについて説明する。
【００５５】
カップ部４１は、着用者のバストを前面側から覆うものであり、バスト形状に対応させた椀形状となっている。カップ部４１は、例えば不職布や発砲ポリウレタンといった一定の保形性及び弾力性を有する素材によって形成されている。カップ部４１の下部にかけて、非伸縮性の土台布４２が縫着され、カップ部４１は、土台布４２によって支持されている。さらに、土台布４２の脇側には伸縮性のバック布４３が縫着されている。また、カップ部４１の脇側上端４１ａには、肩ストラップ４４が着脱可能に取り付けられている。土台布４２とカップ部４１の境目部分には、ワイヤーを内蔵したテープ部材４１ｂが縫着されている。なお、和テープ部材４１ｂと土台布４２は、カップ支持部に相当する。また、土台布４２を設けない構成の場合には、テープ部材４１ｂがカップ支持部に相当する。
【００５６】
バック布４３は、カップ部４１の下辺４１ｂから連続して形成され、着用者の脇側から背側中央に向かって帯状に形成される。バック布４３は、例えばパワーネットなどの伸縮性を有する素材によって形成されている。また、バック布４３の背側の端部にはホック４５が設けられており、左右のバック部４３は、このホック４５によって係脱自在に連結される。また、バック布４３の背側上端には、肩ストラップ４４が連結されている。なお、本実施形態では、バック布４３は、カップ部４１の脇側部分と土台布４３のいずれにも連結されているが、いずれか一方にのみ連結するようにしてもよい。
【００５７】
肩ストラップ４４は、カップ部４１の脇側上部とバック布４３とに各々接続され、カップ部４１の上部とバック布４３の背側とを結ぶように掛け渡されている。また、肩ストラップ４４には、長さ調整具（不図示）が介設されており、着用者の体型に合わせた長さ調整が可能となっている。
【００５８】
ここで、本実施形態のブラジャー４０のバック布４３は、上辺４３ａ及び下辺４３ｂに、テープ部１０Ｃ（衣類の端部構造、基体部）が配置されている。テープ部１０Ｃは、上辺４３ａ及び下辺４３ｂの長手方向に沿って、交互に配置されたブロック状の高伸縮部１１Ｃ（第２の領域）及び低伸縮部１２Ｃ（第１の領域）を有する食い込み軽減構造１３Ｃを備えている。
【００５９】
このように本実施形態のブラジャー４０は、バック布４３の上辺４３ａ及び下辺４３ｂにおいて、高伸縮部１１Ｃ及び低伸縮部１２Ｃが交互に配置されているため、締付力を発揮する高伸縮部１１Ｃの隣に、高伸縮部１１Ｃよりも伸縮性が低い低伸縮部１２Ｃが配置され、適切な着圧を維持しつつ、上辺４３ａ及び下辺４３ｂの食い込みを軽減することができる。また、本実施形態に係るブラジャー４０のバック布４３では、高伸縮部１１Ｃの隣に、上辺４３ａ及び下辺４３ｂの長手方向において所定の長さを有するブロック状の低伸縮部１２Ｃが配置され、高伸縮部１１Ｃによって締付力を発揮し、低伸縮部１２Ｃによって折れ曲がり軽減機能を発揮する。その結果、適切な着圧を維持しつつ、着用者への食い込みを抑制することができ、ブラジャー４０を着用した際のシルエットを美しく見せることができる。
【００６０】
なお、高伸縮部１１Ｃ及び低伸縮部１２Ｃは、矩形状でもよく、台形状でもよく、その他の形状でもよい。また、テープ部１０は、上辺４３ａ及び下辺４３ｂの少なくとも一方に配置されている構成でもよい。
【００６１】
また、テープ部１０Ｃが、土台布４２の下辺に配置されている構成でもよい。
【００６２】
なお、図９は、上記第３実施形態に係るブラジャーの変形例を示す図である。ブラジャー５０（カップ付き衣類）は、ブラジャー４０と同様に、左右一対のカップ部４１、土台布５２（カップ支持部）、バック布５３（脇部）、及び肩ストラップ４４を備える。
【００６３】
以下において、ブラジャー４０の構成と異なるブラジャー５０の構成について説明する。土台布５２は、カップ部４１の脇側部分で土台布５２に連結されている。バック布５３は、着用状態において脇側部分を覆う領域に食い込み軽減構造６３を備えている。食い込み軽減構造６３は、胴回り方向に沿って設けられた３つの低伸縮部６２（第１の領域）と、低伸縮部６２の間にそれぞれ設けられた高伸縮部６１（第２の領域）から形成されている。
【００６４】
この場合にも、コシの強い、すなわち剛性の高い低伸縮部６２が着用状態において低伸縮部６１の折れ曲がりを低減し、食い込みを抑制することができる。
【００６５】
なお、本実施形態の食い込み軽減構造６３は、３つの低伸縮部６２と、２つの高伸縮部６１とから形成されている例を挙げているが、ブラジャーの仕様に応じて、食い込み軽減構造６３を構成する低伸縮部６２及び高伸縮部６１の個数を増加させてもよい。
【００６６】
また、本実施形態の食い込み軽減構造６３は、バック布５３の上辺側から下辺側まで全幅に至るように形成されているが、本発明はこれに限定されるものではない。例えば、食い込み軽減構造６３をバック布５３の上辺側から中央部まで設ける、あるいは、下辺側から中央部まで設けるといったことも考えられる。また、本実施形態では、食い込み軽減構造６３が、バック布５３の脇側部分を覆う位置にだけ形成されているが、バック布全体に設けるようにしてもよい。
【００６７】
図１０は、第４実施形態に係るウエストニッパー８０の正面図である。ウエストニッパー８０は、腰部周辺の体型を補整する補整衣類である。本例のウエストニッパー８０は、バスト下方から腰部周辺までを覆うように身頃部８３（身頃本体）が形成されている。身頃部８３は、胴回り方向に沿って、高伸縮部８１と、低伸縮部８２とが交互に１２個ずつ形成され、食い込み軽減構造８４を形成している。なお、仕様によっては、身頃部８３の上端側から中央部分にかけて、あるいは下端側から中央部分にかけて食い込み軽減構造８４を設けるようにしてもよい。
【００６８】
この場合には、着用者の体型をスムージングしつつ、身頃部の食い込みを軽減することができる。
【００６９】
なお、本実施形態では、身頃部８３全体が食い込み軽減構造８４を構成するように形成している例を挙げているが、本発明はこれに限定されるものではない。例えば、補整衣類の仕様に応じて、身頃部８３の一部にだけ食い込み軽減構造８４を設けるものとしてもよい。この場合にも、少なくとも、３つの低伸縮部８２と、低伸縮部８２の間に高伸縮部８１を設けることにより、食い込み軽減効果を得ることができる。より具体的には着用状態で贅肉が盛り上がり易い、左右の両脇部分や、その他の部分にだけ食い込み軽減構造８４を設けるといったことが考えられる。この場合には、身頃部８３の補整力によって押し出された贅肉をスムージングし、着用状態におけるシルエットをより滑らかな曲線状とすることができる。
【００７０】
また、本実施形態では、ウエストニッパーを例に挙げて説明したが、その他の補正機能を有する衣類、例えば、ガードル、ボデイスーツ等に適用することができる。
【００７１】
なお、図示を分かり易くするため、図１、２、５、７〜１０では、低伸縮部１２、１２Ｂ、１２Ｃ、６２、８２に適宜ハッチングを付して図示している。
【００７２】
以上、本発明をその実施の形態に基づき具体的に説明したが、本発明は上記実施形態に限定されるものではない。例えば、上記のボトム衣類では、ウエスト側の上端部分２０ａに高伸縮部１１及び低伸縮部１２が交互に配置されたテープ部が形成されているが、図６に示すように、脚部を通すための裾部２０ｂに本実施形態のテープ部を採用してもよい。
【００７３】
また、本発明の衣類の端部構造は、ボトム衣類、カップ付き衣類、補整機能を有する衣類、以外のその他の衣類の端部構造に適用してもよい。例えば、上半身衣類の裾部に本発明の端部構造を採用してもよい。
【産業上の利用可能性】
【００７４】
本発明の衣類の端部構造、ボトム衣類、及びカップ付き衣類では、適切な着圧を維持しつつ、着用者への食い込みを緩和することができる。また、本発明の衣類の端部構造、ボトム衣類、及びカップ付き衣類、補整機能を有する衣類では、端部の折れ曲がりを防止することができる。
【符号の説明】
【００７５】
１０，１０Ｂ，１０Ｃ…テープ部（衣類の端部構造、基体部）
１０ａ，１０Ｂａ…端側
１１，１１Ｂ，１１Ｃ，６１，８１…高伸縮部（第２の領域）
１２，１２Ｂ，１２Ｃ，６２，８２…低伸縮部（第１の領域）
１２ａ…台形の短い方の辺
１３，１３Ｂ，１３Ｃ，６３…食い込み軽減構造
１４…樹脂
２０…ボトム衣類
２０ａ…上端部分
２１…本体生地（衣類本体）
４０，５０…ブラジャー（カップ付き衣類）
４１…カップ部
４２，５２…土台布（カップ支持部）
４３，５３…バック布（脇部）
４３ａ…脇部の上辺、４３ｂ…脇部の下辺
８０…ウエストニッパー（補整衣類）
８３…身頃部（食い込み軽減構造）
１００…着用者
Ｄ１…開口部の周方向（長手方向）
Ｗ…幅方向
【図１】
2013046457.tif 000003
【図２】
2013046457.tif 000004
【図３】
2013046457.tif 000005
【図４】
2013046457.tif 000006
【図５】
2013046457.tif 000007
【図６】
2013046457.tif 000008
【図７】
2013046457.tif 000009
【図８】
2013046457.tif 000010
【図９】
2013046457.tif 000011
【図１０】
2013046457.tif 000012
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
衣類本体が所定の着用状態で保持されるように、着用時に引き伸ばされることによって肌に密着するように形成された端部構造であって、
長手方向に沿って並べて設けられた低伸度の３つの第１の領域と、前記３つの第１の領域の間にそれぞれ形成され、前記第１の領域よりも高い伸度を有する２つの第２の領域とから少なくとも形成される食い込み軽減構造を少なくとも一部に有する基体部を備え、
前記第１の領域における前記長手方向に延在する２辺のうちの一方端側の辺が、他方端側の辺よりも短い、
衣類の端部構造。
【請求項２】
前記食い込み軽減構造は、前記基体部の長手方向と交差する幅方向の全幅にわたるように設けられており、前記第１の領域及び前記第２の領域も前記幅方向の全幅にわたるように形成されている、
請求項１に記載の衣類の端部構造。
【請求項３】
前記第１の領域は、前記端部の長手方向において等間隔で配置されている、
請求項１または２に記載の衣類の端部構造。
【請求項４】
前記第１の領域は台形に形成され、前記台形の平行な２辺のうち短い方の辺が端側に配置されている、
請求項１から３のいずれか１項に記載の衣類の端部構造。
【請求項５】
前記第１の領域は長方形に形成され、前記長方形の短い方の辺が端側に配置されている、
請求項１から３のいずれか１項に記載の衣類の端部構造。
【請求項６】
前記第１の領域は、前記基体部に樹脂を塗布して形成されている、
請求項１から５のいずれか１項に記載の衣類の端部構造。
【請求項７】
前記食い込み軽減構造は、前記基体部に抜蝕加工を施して形成されている、
請求項１から６のいずれか１項に記載の衣類の端部構造。
【請求項８】
下半身衣類のウエスト始末を形成する端部構造であって、
前記食い込み軽減構造は、前記ウエスト始末のうち、少なくとも左右の両脇部分にそれぞれ設けられている、
請求項１から７のいずれか１項に記載の衣類の端部構造。
【請求項９】
着用者の身体の一部を挿通させる開口部を形成する端部構造であって、
前記開口部の全周において、前記食い込み軽減構造が設けられている、
請求項１から８のいずれか１項に記載の衣類の端部構造。
【請求項１０】
請求項１から８のいずれか１項に記載の衣類の端部構造を備えたボトム衣類であって、
着用者の下半身の少なくとも一部を覆うように形成された本体生地と、
前記本体生地に隣接する端部であり、着用者の腰部を挿通させる開口部を形成する前記端部構造と、を備える、
ボトム衣類。
【請求項１１】
請求項１から８のいずれか１項に記載の衣類の端部構造を備えたカップ付き衣類であって、
バストを覆うように形成された左右一対のカップ部と、
前記カップ部を支持するカップ支持部と、
前記カップ部の脇側縁部またはカップ支持部の少なくとも一方に連結された左右一対の脇部と、を備え、
前記脇部の上辺及び下辺、または、カップ支持部の下辺のいずれか１つに前記端部構造が少なくとも形成されている、
カップ付き衣類。
【請求項１２】
バストを覆うように形成された左右一対のカップ部と、
前記カップ部を支持するカップ支持部と、
前記カップ部の脇側縁部またはカップ支持部の少なくとも一方に連結された左右一対の脇部と、を備え、
着用状態における胴回り方向に沿って並べて設けられた低伸度の３つの第１の領域と、前記３つの第１の領域の間にそれぞれ形成され、前記第１の領域よりも高い伸度を有する２つの第２の領域とから少なくとも形成される食い込み軽減構造が前記脇部または前記カップ支持部の少なくともいずれか一方の一部または全部に設けられており、
前記第１の領域における前記胴回り方向に延在する２辺のうちの一方端側の辺が、他方端側の辺よりも短い、
カップ付き衣類。
【請求項１３】
着用状態で肌に密着する部分が少なくとも身頃本体の一部に設けられた補整機能を有する衣類の構造であって、
前記密着する部分の少なくとも一部に着用状態における胴回り方向に沿って並べて設けられた低伸度の３つの第１の領域と、前記３つの第１の領域の間にそれぞれ形成され、前記第１の領域よりも高い伸度を有する２つの第２の領域とから少なくとも形成される食い込み軽減構造が形成されており、
前記第１の領域における前記胴回り方向に延在する２辺のうちの一方端側の辺が、他方端側の辺よりも短い、
補整機能を有する衣類の構造。
【国際調査報告】
2013046457.tif 000013
2013046457.tif 000014
2013046457.tif 000015